(57)【要約】【課題】ハンモック式の枕において、高さの調節を容易且つ微調節に可能とする。【解決手段】所定の距離離れて対向配置された一対のベース部材１,１と、上記それぞれのベース部材１に立設された柱部材２と、上記それぞれの柱部材２の上部に上記ベース部材１と略平行に設けられた支持部材３と、上記柱部材２又は支持部材３の間に張設されてそれぞれの距離を規定する横架部材４と、所定長さの帯状体７の長手方向に直交する両端部に棒状の保持部材８を備え該保持部材８の両端部が上記それぞれの支持部材３に掛止されて所定の高さＨで張り渡され上記帯状体７に頭部を載置する頭部載置部材５と、を備える枕において、上記頭部載置部材５を、該頭部載置部材５の高さを調節する高さ調節手段９を介して上記支持部材３に掛止する。【選択図】図１
2008229247.tif 000002
【特許請求の範囲】
【請求項１】
所定の距離離れて対向配置された一対のベース部材と、  
上記それぞれのベース部材に立設された柱部材と、
上記それぞれの柱部材の上部に上記ベース部材と略平行に設けられた支持部材と、
上記柱部材又は支持部材間に張設されてそれぞれの距離を規定する横架部材と、
所定長さの帯状体の長手方向に直交する両端部に棒状の保持部材を備え、該保持部材の両端部が上記それぞれの支持部材に掛止されて所定の高さで張り渡され、上記帯状体に頭部を載置する頭部載置部材と、
を備える枕において、
上記頭部載置部材を、該頭部載置部材の高さを調節する高さ調節手段を介して上記支持部材に掛止したことを特徴とする枕。
【請求項２】
上記高さ調節手段は、上記支持部材に設けられた掛止部材と、下端が上記保持部材の両端部にそれぞれ結合されてその上部側のリングで上記掛止部材に掛止される鎖と、を備えたことを特徴とする請求項１記載の枕。
【請求項３】
上記高さ調節手段は、上記支持部材に設けられた滑車と、下端が上記保持部材の両端部にそれぞれ結合されてその上部側で上記滑車に巻き回される紐状体と、上記支持部材の滑車近傍に設けられ、上記紐状体の上昇及び下降操作に応じて上昇又は下降する頭部載置部材の位置を固定するストッパ手段と、を備えたことを特徴とする請求項１記載の枕。
【発明の詳細な説明】
【技術分野】
【０００１】
本発明は、対向配置された支持部材間に頭部載置部材を吊り下げて通気性をよくしたハンモック式の枕に関し、詳しくは、頭部載置部材の高さを調節可能とした枕に係るものである。
【背景技術】
【０００２】
従来のハンモック式の枕は、基台と、この基台の両側から立設された側枠と、この側枠の支持部材に両端部を支持されてＵ字状に吊り下げられたベルトとを備えて成っていた。上記ベルトは、その両端部と、該両端部から所定の距離だけ離れた箇所に、上記ベルトの幅方向に設けられた面ファスナーを有し、上記支持部材を形成する支持棒の外周に周回させて、両端部の面ファスナーとそれより内側に設けられた面ファスナーとを接合することにより、上記側枠にベルトを取り付けていた（例えば、特許文献１参照）。
【特許文献１】特開２００５−３２３６３３号公報
【発明の開示】
【発明が解決しようとする課題】
【０００３】
しかし、上記従来のハンモック式の枕においては、側枠の支持部材に対するベルトの固定を面ファスナーによって行っていたため、上記ベルトの高さを調節しにくいことに加えて、高さの微調節が出来なかった。また、上記ベルトに頭を載せた使用状態において、高さを調節することができなかった。
【０００４】
そこで、本発明は、このような問題点に対処し、頭部載置部材の高さを調節可能とする枕を提供することを目的とする。
【課題を解決するための手段】
【０００５】
上記目的を達成するために、本発明による枕は、所定の距離離れて対向配置された一対のベース部材と、上記それぞれのベース部材に立設された柱部材と、上記それぞれの柱部材の上部に上記ベース部材と略平行に設けられた支持部材と、上記柱部材又は支持部材間に張設されてそれぞれの距離を規定する横架部材と、所定長さの帯状体の長手方向に直交する両端部に棒状の保持部材を備え該保持部材の両端部が上記それぞれの支持部材に掛止されて所定の高さで張り渡され上記帯状体に頭部を載置する頭部載置部材と、を備える枕において、上記頭部載置部材を、該頭部載置部材の高さを調節する高さ調節手段を介して上記支持部材に掛止したものである。
【０００６】
このような構成により、支持部材と頭部載置部材との間に設けられた高さ調節手段によって、支持部材に掛止された頭部載置部材の高さを調節する。
【０００７】
また、上記高さ調節手段は、上記支持部材に設けられた掛止部材と、下端が上記保持部材の両端部にそれぞれ結合されてその上部側のリングで上記掛止部材に掛止される鎖と、を備えたものである。これにより、下端が保持部材の両端部にそれぞれ結合されてその上部側のリングで支持部材に設けられた掛止部材に掛止される鎖のリング位置を変えることによって頭部載置部材の高さを調節する。
【０００８】
さらに、上記高さ調節手段は、上記支持部材に設けられた滑車と、下端が上記保持部材の両端部にそれぞれ結合されてその上部側で上記滑車に巻き回される紐状体と、上記支持部材の滑車近傍に設けられ、上記紐状体の上昇及び下降操作に応じて上昇又は下降する頭部載置部材の位置を固定するストッパ手段と、を備えたものである。これにより、上記支持部材の滑車近傍に設けられたストッパ手段によって、下端が保持部材の両端部にそれぞれ結合されて、その上部側で支持部材に設けられた滑車に巻き回される紐状体の上昇及び下降操作に応じて、上昇又は下降する頭部載置部材の位置を固定して頭部載置部材の高さを調節する。
【発明の効果】
【０００９】
請求項１に係る発明によれば、支持部材と頭部載置部材との間に設けられた高さ調節手段によって、支持部材に掛止された頭部載置部材の高さを調節することができる。したがって、枕を自分に合った高さに調節することが可能であるため、首や肩に負担が掛からず楽に頭部を載せることができる。また、ハンモック式の枕であるため、通気性が良く、頭部にこもる熱を逃がすことができる。
【００１０】
また、請求項２に係る発明によれば、下端が保持部材の両端部にそれぞれ結合されてその上部側のリングで支持部材に設けられた掛止部材に掛止される鎖のリング位置を変えることによって頭部載置部材の高さを調節することができる。この場合、掛止部材に掛止するリング位置を変えるだけで、枕の高さを容易に調節することができると共に、高さを微調節することができる。また、保持部材の前部側と後部側に結合された鎖の掛止位置を変えることにより、頭部載置部材に前後に傾斜を持たせることができる。
【００１１】
さらに、請求項３に係る発明によれば、上記支持部材の滑車近傍に設けられたストッパ手段によって、下端が保持部材の両端部にそれぞれ結合されて、その上部側で支持部材に設けられた滑車に巻き回される紐状体の上昇及び下降操作に応じて、上昇又は下降する頭部載置部材の位置を固定して頭部載置部材の高さを調節することができる。この場合、滑車に巻き回される紐状体をストッパ手段によって任意位置で固定することができるので、頭部載置部材に頭部を載せた使用状態において、スムーズ且つ無段階に枕の高さを調節することができる。
【発明を実施するための最良の形態】
【００１２】
以下、本発明の実施形態を添付図面に基づいて詳細に説明する。
図１は本発明による枕の第一の実施形態を示す図である。この枕は、対向配置された支持部材間に頭部載置部材を吊り下げて通気性をよくしたハンモック式のもので、ベース部材１と、柱部材２と、支持部材３と、横架部材４と、頭部載置部材５とを備えて成る。
【００１３】
上記ベース部材１は、本発明の枕の土台となるもので、例えば２０〜４０cm程度の長さを有するパイプ材から成る。そして、２本のベース部材１が、その間に使用者の頭部（図２に示す符号６参照）が入るだけの距離（例えば３０〜７０cm程度）離れて略平行に対向配置されることにより、一対のベース部材１,１を構成している。
【００１４】
上記それぞれのベース部材１には、柱部材２が立設されている。この柱部材２は、本発明の枕をハンモック式に吊り下げるための高さを与えるもので、例えば２０〜６０cm程度の長さを有するパイプ材から成り、上記ベース部材１の片側端部から、略垂直に立設されている。
【００１５】
上記それぞれの柱部材２の上部には、支持部材３が設けられている。この支持部材３は、頭部載置部材５を吊り下げる部材となるもので、例えば１０〜４０cm程度の長さを有するパイプ材からなり、上記柱部材２の上端に接合され、上記ベース部材１と略平行に形成されている。この実施形態の場合は、上記ベース部材１と柱部材２と支持部材３は、１本のパイプ材をコ字状に折り曲げることにより一続きに形成されている。
【００１６】
上記それぞれの柱部材２の間には、横架部材４が張設されている。この横架部材４は、上記柱部材２,２の距離を規定するもので、例えば３０〜７０cm程度の長さを有するパイプ材から成る。この実施形態の場合は、上記横架部材４は上記柱部材２の上端部近傍と下端部近傍の二箇所に設けられ、その両端部で溶接等により上記柱部材２に接合されている。
【００１７】
上記それぞれの支持部材３には、頭部載置部材５が掛止されて所定の高さＨで張り渡されている。この頭部載置部材５は、使用者が頭部６（図２参照）を載せるもので、帯状体７と、保持部材８とから成る。
【００１８】
上記帯状体７は、使用者が頭部６を直に載せる部材となるもので、長さが上記ベース部材１,１間の距離よりも大きく（例えば５０〜１３０cm程度）、幅が２０〜３０cm程度のネット又は布状体などから成る。
【００１９】
上記帯状体７の長手方向に直交する両端部には、保持部材８が固定されている。この保持部材８は、上記帯状体７の帯形状を維持するためのもので、上記帯状体７の幅と同等の長さのパイプ材から成る。
【００２０】
ここで、本発明においては、頭部載置部材５は高さ調節手段９を介して支持部材３に掛止されている。この高さ調節手段９は、上記頭部載置部材５の高さＨを調節するもので、掛止部材１０と、鎖１１とから成る。
【００２１】
上記掛止部材１０は、上記鎖１１を付け外し自在に掛止するもので、鉤形のフックから成る。この実施形態の場合は、上記掛止部材１０は、上記支持部材3の下側面に、例えば１０〜３０cm程度の距離を置いた二箇所に設けられている。
【００２２】
上記鎖１１は、上記頭部載置部材５を吊り下げ支持するもので、その下端で上記保持部材８と結合し、その上部側のリングで上記掛止部材１０に付け外し自在に掛止されるようになっており、上記頭部載置部材５を所定の高さＨ、例えば５〜１５cm程度に張り渡している。
【００２３】
次に、このように構成された枕の使用状態について、図１を参照して説明する。先ず、上記掛止部材１０に鎖１１が掛止されて上記頭部載置部材５が所定の高さＨで張り渡されている。この状態において、使用者は、仰向けになって頭部６（図２参照）を上記頭部載置部材５に載せる。次に、高さが不適切と感じた場合は、起き上がって頭部６を上記頭部載置部材５から離し、上記掛止部材１０に掛止する上記鎖１１のリング位置を変えて高さＨを調節する。また、傾きが不適切と感じた場合は、起き上がって頭部６を上記頭部載置部材５から離し、上記掛止部材１０に掛止する上記鎖１１のリング位置を変えて、前部側と後部側の鎖の長さを変えることによって傾きを調節する。
【００２４】
この枕の第一の実施形態によれば、下端が保持部材８の両端部にそれぞれ結合されてその上部側のリングで支持部材３に設けられた掛止部材１０に掛止される鎖１１のリング位置を変えることによって頭部載置部材５の高さを調節することができる。また、前後の鎖１１の掛止位置を変えることにより頭部載置部材に傾斜を持たせることができる。
【００２５】
図３は、本発明の第二の実施形態を示す図である。この実施形態は、上記掛止部材１０を、上記一対の支持部材３にそれぞれ一箇所ずつのみ設けたものである。これにより、枕を構成する部材を少なくすることができ、小型化に加えて製作費を低減することができる。また、頭部載置部材５の前後方向の揺動を掛止部材１０を中心として回動する動きとすることができる。なお、このように構成された枕の使用状態は、上記第一の実施形態の場合と同様である。
【００２６】
図４は、本発明の第三の実施形態を示す図である。この実施形態は、高さ調節手段１２を、滑車１３（図５参照）と、紐状体１４と、ストッパ手段１５とを備えて構成したものである。
【００２７】
上記滑車１３は、図５に示すように、紐状体１４を掛け回すと共にその長さ方向にスムーズに移動させるもので、軸１６を中心として回転可能にケース１７に保持されている。上記紐状体１４は、図４に示すように、上記頭部載置部材５を吊り下げ支持するもので、その下端で上記帯状体７の端部を保持している保持部材８と結合し、その上部側で上記滑車１３（図５参照）に巻き回されて、他端が操作部１８に結合されている。この操作部１８は、手で掴んで枕の上昇及び下降を操作するもので、例えば１０〜３０cm程度の長さのパイプ材からなり、その両端部付近で上記紐状体１４と結合している。
【００２８】
上記滑車１３（図５参照）の近傍には、ストッパ手段１５が設けられている。このストッパ手段１５は、上記紐状体１４の上昇及び下降操作に応じて上昇又は下降する頭部載置部材５の位置を固定するもので、図５に示すように、滑車１３と、ギヤ１９と、リブ２０とから成る。
【００２９】
上記ギヤ１９は、上記滑車１３及びリブ２０と協働して上記紐状体１４を狭持し、この紐状体１４の長さ方向の移動を阻止するもので、軸２１を中心として回転可能であると共に、その軸２１が上記ケース１７内壁に設けられた軸保持形状部２２に保持されて所定距離上下移動可能にされている。
【００３０】
上記ギヤ１９の上方には、リブ２０が設けられている。このリブ２０は、上記ギヤ１９の上方向の移動限界を規定すると共に、このギヤ１９と噛み合ってギヤ１９の回転を阻止するもので、上記ケース１７内壁の後面から前面に渡って形成されている。なお、上記ギヤ１９と噛み合う位置には、噛合部２３が設けられている。
【００３１】
上記ケース１７は、上記滑車１３及びギヤ１９を保持して上記支持部材３に接合するもので、下面が開口された略直方体形状から成る。
【００３２】
次に、このように構成された枕の使用状態について、図４を参照して説明する。先ず、ストッパ手段１５によって滑車１３（図５参照）に巻き回されている紐状体１４が任意位置で固定されることによって、上記頭部載置部材５が所定の高さＨで張り渡されている。この状態において、使用者は、仰向けになって頭部６（図２参照）を上記頭部載置部材５に載せる。次に、高さが低いと感じて上記頭部載置部材５を上昇させる場合、先ず、上記操作部１８を矢印Ａ方向に引っ張る。このとき、図５に示すように、上記ギヤ１９は上記紐状体１４から受ける下向きの摩擦力により、実線で示すストップ位置から破線で示す解除位置まで落下するため、上記紐状体１４は自由にＣ方向に移動する。これにより、図４に示すように、上記保持部材８が矢印Ｅ方向に上昇し、上記頭部載置部材５の高さＨを増加させることができる。
【００３３】
また、高さが高いと感じて上記頭部載置部材５を下降させる場合、先ず、図５に示すように、上記操作部１８を矢印Ｋに示す斜め下方向へわずかに引っ張る。これにより、上記紐状体１４がギヤ１９に与えていた摩擦力が解除されて、このギヤ１９が解除位置に落下する。この状態で、頭部６（図２参照）により図４に示す上記頭部載置部材５に掛かっている下向きの荷重Ｆに対して、上記操作部１８を図５に示す矢印Ｋ方向の力によって保持しながら矢印Ｍ方向に移動させる。これにより、図４に示すように、上記保持部材８が矢印Ｇ方向に下降し、上記頭部載置部材５の高さＨを減少させることができる。
【００３４】
また、上記上昇又は下降の操作において、高さの調節を終えて上記頭部載置部材５の位置を固定する場合は、上記操作部１８へ加えている矢印Ａ方向又は図５に示す矢印Ｋ方向の力を解除する。これにより、上記荷重Ｆによって、上記紐状体１４が矢印Ｄ方向に移動すると共に上記操作部１８が矢印Ｂ方向に上昇する。これに伴い、上記ギヤ１９は紐状体１４から上向きの摩擦力を受けて上昇し、上記リブ２０に当接して上記噛合部２３と噛み合う。この状態で、上記紐状体１４は滑車１３とギヤ１９とによって狭持され、矢印Ｄ方向の移動が阻止される。これにより、図４に示す頭部載置部材５の高さＨを固定することができる。
【００３５】
この枕の第三の実施形態によれば、支持部材３の滑車１３近傍に設けられたストッパ手段１５によって、操作部１８の上昇又は下降操作に応じて、上昇又は下降する頭部載置部材５の位置を固定して頭部載置部材５の高さを調節することができる。したがって、頭部載置部材５に頭部を載せた使用状態において、スムーズ且つ無段階に枕の高さを調節することができる。
【００３６】
図６は、本発明の第四の実施形態を示す図である。この実施形態は、上記滑車１３及びストッパ手段１５を、上記一対の支持部材３にそれぞれ一箇所ずつのみ設けたものである。このように構成したことにより、枕を構成する部材を少なくすることができ、小型化に加えて製作費を低減することができる。また、頭部載置部材５の前後方向の揺動を、滑車１３を略中心として回動する動きとすることができる。なお、このように構成された枕の使用状態は、上記第三の実施形態の場合と同様である。
【００３７】
なお、以上の説明においては、ベース部材１、柱部材２、支持部材３、横架部材４、保持部材８及び操作部１８をそれぞれパイプ材としたが、本発明はこれに限られず、中実の円柱部材又は角柱部材としてもよい。また、ベース部材１、柱部材２、支持部材３、横架部材４、保持部材８及び操作部１８は、木製、プラスチック製又は金属製などとしてもよい。さらに、ストッパ手段１５として、滑車１３、ギヤ１９及びリブ２０を組み合わせたものとしたが、これに限られず、ワンウェイクラッチやラチェット等を用いる公知のストッパ手段としてもよい。
【図面の簡単な説明】
【００３８】
【図１】本発明による枕の第一の実施形態を示す斜視図である。
【図２】枕に頭部を載せた使用状態を示す正面図である。
【図３】本発明による枕の第二の実施形態を示す斜視図である。
【図４】本発明による枕の第三の実施形態を示す斜視図である。
【図５】ストッパ手段の内部構造を示す縦断面図である。
【図６】本発明による枕の第四の実施形態を示す斜視図である。
【符号の説明】
【００３９】
１…ベース部材
２…柱部材
３…支持部材
４…横架部材
５…頭部載置部材
７…帯状体
８…保持部材
９、１２…高さ調節手段
１０…掛止部材
１１…鎖
１３…滑車
１４…紐状体
１５…ストッパ手段
【図１】
2008229247.tif 000003
【図２】
2008229247.tif 000004
【図３】
2008229247.tif 000005
【図４】
2008229247.tif 000006
【図５】
2008229247.tif 000007
【図６】
2008229247.tif 000008